(57)【要約】【課題】  本発明は、地震に基づく震動等による地山の液状化現象にてマンホールが突き上げ浮上等して損傷することを防止するマンホールの耐震補強装置を新規に提供するものである。【解決手段】  本発明は、地震等による地山の液状化にてマンホールの突き上げ浮上または沈下等の生ずることを防止するために、該マンホールの側壁の中間下に液状化に伴う泥水の流入孔を設け、該流入孔を下端にして該マンホールの内壁面に沿って上端を地下水位上とする上昇管を配管し、前記流入孔の入口と上昇管内に漸次網目を細かくした目皿状のろ過ネットを間隔を置いて複数段にて設けるとともに、該上昇管基側のろ過ネット間の１乃至数個所に砕石層によるろ過補充材を充填し、地震等によりマンホール直下，周囲の地山に液状化に伴う泥水が集中した際に該泥水を該上昇管にてろ過上昇させて上端より放散するようにしたことを特徴とする新設，既設マンホールの耐震補強装置にある。【選択図】  図１
2007063977.tif 000002
【特許請求の範囲】
【請求項１】
下水道施設として地表に蓋付の出入口を有して布設される新設，既設のマンホールにおいて、地震等による地山の液状化にて該マンホールの突き上げ浮上または沈下，変動等の生ずることを防止するために、該マンホールの側壁の中間下に液状化に伴う泥水の流入孔を設け、該流入孔を下端にして該マンホールの内壁面に沿って上端を地下水位上とする上昇管を配管し、前記流入孔の入口と、上昇管内に漸次網目を細かくした目皿状のろ過ネットを間隔を置いて複数段にて設けるとともに、該上昇管基側のろ過ネット間の１乃至数個所に砕石層によるろ過補充材を充填し、地震等によりマンホール直下，周囲の地山に液状化に伴う泥水が集中した際に該泥水を該上昇管にてろ過上昇させて上端より放散するようにしたことを特徴とする新設，既設マンホールの耐震補強装置。
【請求項２】
マンホールの側壁に設けた流入孔に入口筒と上昇管の下端基体を一体にした本体をマンホールの内側より嵌合し、該下端基体上に上昇管を接続してなる請求項１に記載の耐震補強装置。
【請求項３】
マンホールの側壁に設けた流入孔と入口筒に輪状の間隙ができるときは、ブチル止水材の充填にて止水し、下端基体と接続する上昇管の接合部にゴムリングを嵌めて止水するようにした請求項２に記載の耐震補強装置。
【請求項４】
本体および上昇管は、マンホールの内壁面にアンカー止め固定する請求項２に記載の耐震補強装置。
【請求項５】
下端基体は内側にろ過補充材の区分けと補強を兼ねた１乃至複数本の隔壁を設けた請求項２に記載の耐震補強装置。
【請求項６】
下水道施設として地表に蓋付の出入口を有して布設される新設，既設のマンホールにおいて、地震等による地山の液状化にて該マンホールの突き上げ浮上または沈下，変動等の生ずることを防止するために、該マンホールの底版に底穴を設け、該底穴を下端にして該マンホールの内壁面に沿って上端を地下水位上とする１乃至複数本の上昇管を配管し、前記底穴の入口と、上昇管内に漸次網目を細かくした目皿状のろ過ネットを間隔を置いて複数段にて設けるとともに、該上昇管基側のろ過ネット間の１乃至数個所に砕石層によるろ過補充材を充填し、地震等によりマンホール直下，周囲の地山に液状化に伴う泥水が集中した際に該泥水を該各上昇管にてろ過上昇させて上端より放散するようにしたことを特徴とする新設，既設マンホールの耐震補強装置。
【発明の詳細な説明】
【技術分野】
【０００１】
この発明は、地表に蓋付の出入口を有して縦入れ布設される新設，既設のマンホールにおいて、地震等の震動，揺動により生ずる地山の液状化現象によるマンホールの突き上げ浮上と沈下，傾斜変動等の事故の生ずることを防止するための耐震補強装置に関するものである。なおここにいう地山とは開削前の地山および埋戻した土砂を含む地盤を指すものである。
【背景技術】
【０００２】
この種の従来技術としては特許第３４４０１４７号公報がある。該公報は地表下に布設するマンホールの周壁のまわりに液状化現象により圧力化した泥水の誘導路を設けて、マンホールのまわりの泥水を誘導路の上端からマンホール内に流入させるようにして、マンホールの泥水の流入口に土砂の通過を阻止するフィルタを設けたことを記載している。
【特許文献１】特許第３４４０１４７号公報
【発明の開示】
【発明が解決しようとする課題】
【０００３】
しかしながら、泥水には大小多量の土砂が混入しており、流入口に設けたフィルタのみで細かい土砂まで取り除いてきれいな水だけを取り込むことはできないため、多くの土砂がマンホールから流水路に流れ込んで悪影響を与えるという課題があり、また大量の土砂泥分を失った地山は原形を維持することができなくなって、マンホールに傾き，沈下が生ずるという課題がある。
【課題を解決するための手段】
【０００４】
本発明は、下水道施設として地表に蓋付の出入口を有して布設される新設，既設のマンホールにおいて、地震等による地山の液状化にて該マンホールの突き上げ浮上または沈下，変動等の生ずることを防止するために、該マンホールの側壁の中間下に液状化に伴う泥水の流入孔を設け、該流入孔を下端にして該マンホールの内壁面に沿って上端を地下水位上とする上昇管を配管し、前記流入孔の入口と、上昇管内に漸次網目を細かくした目皿状のろ過ネットを間隔を置いて複数段にて設けるとともに、該上昇管基側のろ過ネット間の１乃至数個所に砕石層によるろ過補充材を充填し、地震等によりマンホール直下，周囲の地山に液状化に伴う泥水が集中した際に該泥水を該上昇管にてろ過上昇させて上端より放散するようにして、かかる課題を解決したのである。
【発明の効果】
【０００５】
本発明は、液状化現象が発生して圧力化した泥水の流入孔の入口と上昇管内に漸次網目を細かくした目皿状のろ過ネットを間隔を置いて複数段にて設けるとともに、該上昇管基側のろ過ネット間の１乃至数個所に砕石層によるろ過補充材を充填したので、泥水中の土砂泥分は複数段のろ過ネットと砕石層のろ過補充材を通過する過程で余すことなく取り除かれて、きれいな水分のみが上昇管の上端から放散されて地山の圧力が制圧されることにより、マンホールの突き上げは防止され、流水路に土砂の悪影響を与えず、上昇管内が土砂によって詰まることがなく、また地山の土砂泥分の放散による空洞化が防止されて、マンホールの傾き，沈下変動等が生じないという効果を生ずる。
【０００６】
入口筒と上昇管の下端基体を一体にして本体を形成し、下端基体上に上昇管を接続するようにしたので、耐震補強装置の各部材はマンホールの地表に面した蓋から容易に搬入し、内部で組立てることができるという効果を生ずる。
【０００７】
上昇管はマンホールの側壁内面に沿わせて配管するので、マンホール内は広いスペースを維持して耐震補強工事を行えて、耐震補強工事中の交通障害等が全く生じないという効果を生ずる。
【０００８】
マンホールの側壁に設けた流入孔と入口筒の間に輪状の間隙が生ずるときはブチル止水材を充填し、上昇管の接合部にはゴムリングを嵌めて止水するようにしたので、装置の水密を保って泥水の放散を円滑に行うことができるという効果を生ずる。
【０００９】
本体および上昇管をマンホールの内壁面にアンカー止め固定するので、圧力化した泥水が激しい勢いで流入しても、ズレ動きすることなく安定し、流入する泥水中の土砂をろ過して水分のみをマンホール内に放散することができるという効果を生ずる。
【００１０】
下端基体の内側にろ過補充材の区分けと補強を兼ねた１乃至複数本の隔壁を設けたので、流水圧によるろ過補充材の偏りを防いで泥水の流入通過を円滑にしてろ過作用を高度に維持し、且つ装置の潰れ変形を防止することができるという効果を生ずる。
【発明を実施するための最良の形態】
【００１１】
本発明は、下水道施設として地表に蓋付の出入口を有して布設される新設，既設のマンホールにおいて、地震等による地山の液状化にて該マンホールの突き上げ浮上または沈下，変動等の生ずることを防止するために、該マンホールの側壁の中間下に液状化に伴う泥水の流入孔を設け、該流入孔を下端にして該マンホールの内壁面に沿って上端を地下水位上とする上昇管を配管し、前記流入孔の入口と、上昇管内に漸次網目を細かくした目皿状のろ過ネットを間隔を置いて複数段にて設けるとともに、該上昇管基側のろ過ネット間の１乃至数個所に砕石層によるろ過補充材を充填し、地震等によりマンホール直下，周囲の地山に液状化に伴う泥水が集中した際に該泥水を該上昇管にてろ過上昇させて上端より放散するようにしたのである。
【実施例１】
【００１２】
図１乃至図３は本発明の第１実施例を示すもので、１は下水道施設として地山２に縦入れ布設される新設または既設のマンホールであって、１ａは地表に面した出入口の蓋である。マンホール１の側壁１ｂの中間下の対向する２個所に大きな流入孔３ａ，３ｂを設け、流入孔３ａ，３ｂのそれぞれに、流入孔の径に一致する入口筒４と上昇管５の下端基体５ａを一体にした本体６をマンホール１の内側より挿嵌し、下端基体５ａ上に接続可能に分割形成した上昇管５ｂを接続する。上昇管５はマンホールの内壁面１ｃに沿って地下水位上を上端口５ｄとしている。本体６および上昇管５は細帯状をした数本の取付板７を間隔を置いて押し当てて左右の取付部７ａ，７ｂをボルト７ｃにて内壁面１ｃにアンカー止め固定するのである。マンホール１の側壁に設けた流入孔３ａ，３ｂと入口筒４間に輪状の間隙ができるときはブチル止水材８ａの充填にて止水し、下端基体５ａ上に接続する上昇管５ｂの各嵌合部に図３に示すようにゴムリング８ｂを嵌めて止水する。なお地下水位とはマンホール１周囲の地下水位のことで、雨期・乾燥季など季節によって変化するものであるが一番水位の高いときを基準とすることにより常態時に地下水がマンホール内に流入することを防止するのである。
【００１３】
入口筒４と上昇管５内に漸次網目を細かくした目皿状のろ過ネット９ａ，９ｂ，９ｃ，９ｄを間隔を置いて複数段にて設ける。ろ過ネットはステンレス板，合成樹脂板に孔を設けたものまたはステンレス線，合成樹脂糸等で編んだ網状物などにて２０ｍｍ，１５ｍｍ，１０ｍｍ，５ｍｍ，３ｍｍ，２ｍｍ，１ｍｍ径等に網目径の異なるものを形成し、流入側から放散側に向けて網目が大から小となるよう配置するのである。上昇管５の下端基体５ａ内のろ過ネット９ｂ，９ｃ間に粒径１６乃至３０ｍｍ程度の網目より大きい砕石，軽石，火山礫などの砕石層によるろ過補充材１０を充填する。なお、１１ａ，１１ｂ，１１ｃは、下端基体５ａの内側に間隔を置いて設けた隔壁で、ろ過補充材１０を区分けして偏りを防ぐとともに下端基体５ａの潰れ変形を防止するための補強を兼ねるものである。
【００１４】
地震の震動，揺動によって液状化現象が発生して圧力化した泥水がマンホールの直下の地山に集中し上昇をはじめると、マンホール１の側壁１ｃに設けた流入孔３ａ，３ｂより該泥水は激しく流入し、砕石層のろ過補充材１０を通過し、且つ漸次網目が細かくなる多段のろ過ネット９ａ乃至９ｄを通過する過程で泥分中の土砂は余すことなく取り除かれて、きれいな水分のみが上昇管５の上端口５ｄよりマンホール１内に放散されることとなる。
【００１５】
このようにして水分のみを放散して地山２に発生した圧力を制圧するので、マンホール１の突き上げは防止され、また土砂泥分を放散しないことにより地山２は原形を維持してマンホール１の傾き，沈下を防止することができることとなる。
【実施例２】
【００１６】
図４は第２実施例で、マンホール１の底版１ｄに大きな底穴３ｃを設け、該底穴３ｃの径に一致する入口筒４ａと入口筒４ａ上で左右に分岐して底版１ｄ上を通りマンホール１の内壁面１ｃに沿って地下水位上を上端口５ｄとする上昇管５ｃ，５ｃを配管し、入口筒４ａと両上昇管５内に間隔を置いて漸次網目を細かくしたろ過ネット９ａ乃至９ｅを設け、底版１ｄ上のろ過ネット９ｂ，９ｃ間に砕石層によるろ過補充材１０を充填したのである。液状化現象が発生して圧力化した泥水はマンホールの底版１ｄの底穴３ｃから上昇流入する過程でろ過ネットとろ過補充剤にてろ過されて、きれいな水になってマンホール１内に放散されるほかは前例と同じである。
【実施例３】
【００１７】
図５は、前記の入口筒４ｃから分岐する上昇管５ｃ，５ｃの中間に、側壁１ｂの流入孔３ｄ，３ｅに挿嵌した入口筒４ｂ，４ｃを連通接続した実施例で、上昇管５ｃ，５ｃ内のろ過ネット９ｂ，９ｃ間と、入口筒４ｂ，４ｃの連通したろ過ネット９ｃ，９ｄ間の２個所にろ過補充材１０ａ，１０ｂを充填した例を示すものである。
【００１８】
以上の各実施例は上昇管を２本づつにて設けた例を示したが、マンホール１に接続する流水管１２の本数，太さ、方向またはステップ１３位置との関係などによって、上昇管を１本または３本，４本にて設けることもある。また上昇管を透明樹脂にて形成するときは、マンホール１の内側から地下水位を点検し記録する常時の水位計として利用することができるものとなる。
【産業上の利用可能性】
【００１９】
本発明は以上のようにして、地震等に基づく震動，揺動等による地山の液状化にて該マンホールが突き上げ浮上したり、沈下，傾斜変動等が予想される多くの新設，既設のマンホールに広く利用することができる。
【図面の簡単な説明】
【００２０】
【図１】本発明の第１実施例を示す縦断面図
【図２】同、横断平面図
【図３】本体と上昇管を接続した状態を示す装置の斜視図
【図４】第２実施例を示す縦断面図
【図５】第３実施例を示す部分縦断面図
【符号の説明】
【００２１】
１はマンホール
１ａは蓋
１ｂは側壁
１ｃは内壁面
１ｄは底版
２は地山
３ａ，３ｂ，３ｄ，３ｅは流入孔
３ｃは底穴
４，４ａ，４ｂ，４ｃは入口筒
５は上昇管
５ａは下端基体
５ｂ，５ｃは分割形成した上昇管
５ｄは上端口
６は本体
７は取付板
７ａ，７ｂは取付部
７ｃはアンカーボルト
８ａはブチル止水材
８ｂはゴムリング
９ａ，９ｂ，９ｃ，９ｄ，９ｅはろ過ネット
１０，１０ａ，１０ｂはろ過補充材
１１ａ，１１ｂ，１１ｃは隔壁
１２は流水管
１３はステップ
１４はインバート
１５は栗石基礎
【図１】
2007063977.tif 000003
【図２】
2007063977.tif 000004
【図３】
2007063977.tif 000005
【図４】
2007063977.tif 000006
【図５】
2007063977.tif 000007